(57)【要約】【課題】  煩わしい手順を経ることなくセキュリティ性の高い電子メールの送受信を行うことを可能とする電子メール表示プログラムを提供すること。【解決手段】  登録メールアドレスに個別に対応したパスワードの設定を可能とし、受信メールの表示に際してパスワードの入力を要求し、正規のパスワードが入力されたときに受信メールの本文を表示する処理を行うことを特徴とする電子メール表示プログラム。【選択図】    図１
2007233869.tif 000002
【特許請求の範囲】
【請求項１】
送信元メールアドレス及び本文データを含む受信メールと複数の登録メールアドレスとを記憶可能な記憶装置と、画像の表示が可能な表示装置と、ユーザによって操作される入力装置と、コンピュータとを備えた端末装置の前記コンピュータによって実行される電子メール表示プログラムであって、
前記コンピュータに、
前記登録メールアドレスに個別に対応した認証情報の設定を要求する設定要求画像を前記表示装置に表示する処理と、
前記設定要求画像を前記表示装置に表示しているときに、前記入力装置により入力された認証情報を、当該登録メールアドレスと対応付けて前記記憶装置に記憶する処理と、
前記受信メールの送信元メールアドレスが、前記認証情報と対応付けられて前記記憶装置に記憶された前記登録メールアドレスのいずれか１と合致するか否かを判断する判断処理と、
前記判断処理において両者が合致すると判断した場合、該登録メールアドレスに対応した認証情報の入力を要求する入力要求画像を前記表示装置に表示する処理と、
前記入力要求画像を前記表示装置に表示しているときに前記入力装置により入力された認証情報が、当該登録メールアドレスと対応付けられて前記記憶装置に記憶された認証情報と合致するか否かを判断する表示前認証処理と、
前記表示前認証処理において両者が合致すると判断した場合、前記受信メールの本文データに基づいて、前記受信メールの本文を示す画像を前記表示装置に表示する処理と
を実行させることを特徴とする電子メール表示プログラム。
【請求項２】
前記コンピュータに、
前記認証情報と対応付けられて前記記憶装置に記憶された前記登録メールアドレスのいずれか１と同一の送信元メールアドレスからの前記受信メールに対する返信メールを実行する旨の指示が前記入力装置により入力された場合、該登録メールアドレスに対応した認証情報の入力を要求する入力要求画像を前記表示装置に表示する処理と、
前記入力要求画像を前記表示装置に表示しているときに前記入力装置により入力された認証情報が、当該登録メールアドレスと対応付けられて前記記憶装置に記憶された認証情報と合致するか否かを判断する返信前認証処理と、
前記返信前認証処理において両者が合致すると判断した場合、前記返信メールを送信する処理と
を実行させることを特徴とする請求項１に記載の電子メール表示プログラム。
【請求項３】
前記受信メールの本文データとは別に、所定の定型文を示す定型文データを記憶している前記記憶装置を備えた前記端末装置の前記コンピュータに、
前記判断処理において両者が合致すると判断した場合、前記入力要求画像を表示する前に、前記記憶装置に記憶された前記定型文データに基づいて、前記定型文を示す画像を前記表示装置に表示する処理と、
前記表示装置に前記定型文を示す画像が表示されているときに、前記入力要求画像の表示を要求する旨の指示が前記入力装置により入力された場合、前記入力要求画像を前記表示装置に表示する処理と
を実行させることを特徴とする請求項１又は２に記載の電子メール表示プログラム。
【発明の詳細な説明】
【技術分野】
【０００１】
本発明は、電子メールの送受信が可能な端末装置（例えば、携帯電話機、ＰＤＡ（パーソナル・ディジタル・アシスタンツ）、パーソナルコンピュータ、ゲーム装置）が備えるコンピュータによって実行される電子メール表示プログラムに関する。
【背景技術】
【０００２】
近年、携帯電話機による電子メールが広く普及している。この携帯電話機による電子メールは、パーソナルコンピュータにより電子メールの送受信を行う環境と比べると、個人的な目的で用いられることが多い。そのようなことから、ユーザのなかには、携帯電話機を携帯していないときには所謂ロック機能を利用して、第三者によって電子メールを見られないようにしているユーザも存在している。
また、従来、例えば、メールの受信側端末において操作者が正規のユーザであるか否かを判別することによりセキュリティ性の向上を図るメールサーバが存在している（例えば、特許文献１参照）。
【０００３】
【特許文献１】特開２００２−５８０７７号公報
【発明の開示】
【発明が解決しようとする課題】
【０００４】
しかしながら、上述したようなロック機能を利用すると、携帯電話機を使用する度に態々ロックを解除する必要があるため、煩わしいという問題があった。また、この煩わしさのため、ロック機能を利用しないユーザが多いというのが現状であった。また、特許文献１に記載のメールサーバでは、メールを受け取るごとにパスワードの入力が必要になるため、煩わしいという問題があった。
【０００５】
また、一般的なデータ圧縮ファイルやドキュメントファイル等のなかには、パスワードによる保護機能を有しているものもある。このようなファイルを電子メールに添付して送信するときには、送信者がファイルにパスワードを設定することによりファイルに保護をかけた後に送信する必要がある。しかしながら、これでは、受信者は別途送信者とパスワードを申し合わせておくか、電話等の口頭でパスワードの通知を受ける必要があるため、手順が煩雑であるという問題があった。
【０００６】
本発明は、上述した課題に鑑みてなされたものであり、その目的は、煩わしい手順を経ることなくセキュリティ性の高い電子メールの送受信を行うことを可能とする電子メール表示プログラムを提供することにある。
【課題を解決するための手段】
【０００７】
以上のような目的を達成するために、本発明は、以下のようなものを提供する。
（１）  送信元メールアドレス及び本文データを含む受信メールと複数の登録メールアドレスとを記憶可能な記憶装置と、画像の表示が可能な表示装置と、ユーザによって操作される入力装置と、コンピュータとを備えた端末装置の上記コンピュータによって実行される電子メール表示プログラムであって、
上記コンピュータに、
上記登録メールアドレスに個別に対応した認証情報の設定を要求する設定要求画像を上記表示装置に表示する処理と、
上記設定要求画像を上記表示装置に表示しているときに、上記入力装置により入力された認証情報を、当該登録メールアドレスと対応付けて上記記憶装置に記憶する処理と、
上記受信メールの送信元メールアドレスが、上記認証情報と対応付けられて上記記憶装置に記憶された上記登録メールアドレスのいずれか１と合致するか否かを判断する判断処理と、
上記判断処理において両者が合致すると判断した場合、該登録メールアドレスに対応した認証情報の入力を要求する入力要求画像を上記表示装置に表示する処理と、
上記入力要求画像を上記表示装置に表示しているときに上記入力装置により入力された認証情報が、当該登録メールアドレスと対応付けられて上記記憶装置に記憶された認証情報と合致するか否かを判断する表示前認証処理と、
上記表示前認証処理において両者が合致すると判断した場合、上記受信メールの本文データに基づいて、上記受信メールの本文を示す画像を上記表示装置に表示する処理と
を実行させることを特徴とする電子メール表示プログラム。
【０００８】
（１）の発明によれば、コンピュータは、メールアドレスの登録時等に、登録メールアドレスに対応した認証情報（例えば、パスワード）の設定を要求する設定要求画像を表示装置に表示し、上記設定要求画像を上記表示装置に表示しているときに上記入力装置により入力された認証情報を、当該登録メールアドレスと対応付けて上記記憶装置に記憶する。
従って、ユーザは、上記入力装置を操作して認証情報を入力することにより、登録メールアドレスごとに認証情報を設定することができる。
また、コンピュータは、電子メールを受信したときや受信メールの表示を要求する旨の指示が入力装置を介して入力されたとき、受信メールの送信元メールアドレスが、認証情報と対応付けられて上記記憶装置に記憶された上記登録メールアドレスのいずれか１と合致するか否かを判断する判断処理を行い、上記判断処理において両者が合致すると判断した場合、該登録メールアドレスに対応した認証情報の入力を要求する入力要求画像を上記表示装置に表示する。そして、入力要求画像を表示装置に表示しているときに入力装置により入力された認証情報が、当該登録メールアドレスと対応付けられて上記記憶装置に記憶された認証情報と合致するか否かを判断する表示前認証処理を行い、上記表示前認証処理において両者が合致すると判断した場合、上記受信メールの本文データに基づいて、上記受信メールの本文を示す画像を上記表示装置に表示する。
【０００９】
このように、（１）の発明によれば、受信側のユーザは、登録メールアドレスごとに認証情報を設定することができるので、送信者側から認証情報を受け取る必要がない。また、認証情報が設定されていない登録メールアドレスに対する受信メールに関しては、第三者であっても見ることが可能であり、電子メールを受信する度に態々パスワードを入力するというような面倒な作業は不要となる。従って、煩わしい手順を経ることなくセキュリティ性の高い電子メールの送受信を行うことが可能であり、特定の人との交流を親密にすることも可能になる。
【００１０】
さらに、本発明は、以下のようなものを提供する。
（２）  上記（１）の電子メール表示プログラムであって、
上記コンピュータに、
上記認証情報と対応付けられて上記記憶装置に記憶された上記登録メールアドレスのいずれか１と同一の送信元メールアドレスからの上記受信メールに対する返信メールを実行する旨の指示が上記入力装置により入力された場合、該登録メールアドレスに対応した認証情報の入力を要求する入力要求画像を上記表示装置に表示する処理と、
上記入力要求画像を上記表示装置に表示しているときに上記入力装置により入力された認証情報が、当該登録メールアドレスと対応付けられて上記記憶装置に記憶された認証情報と合致するか否かを判断する返信前認証処理と、
上記返信前認証処理において両者が合致すると判断した場合、上記返信メールを送信する処理と
を実行させることを特徴とする。
【００１１】
（２）の発明によれば、受信メールに対する返信メールを行うときに、登録メールアドレスに対応した認証情報の入力を要求する入力要求画像を表示装置に表示する。そして、上記入力要求画像が表示装置に表示されているときに入力装置により入力された認証情報が、当該登録メールアドレスと対応付けられて記憶装置に記憶された認証情報と合致するか否かを判断し、両者が合致すると判断した場合に返信メールを送信する。従って、他人が勝手に端末装置を操作して受信メールに対する返信メールとして悪戯メールを送信するという行為を防止することができる。
【００１２】
さらに、本発明は、以下のようなものを提供する。
（３）  上記（１）又は（２）の電子メール表示プログラムであって、
上記受信メールの本文データとは別に、所定の定型文を示す定型文データを記憶している上記記憶装置を備えた上記端末装置の上記コンピュータに、
上記判断処理において両者が合致すると判断した場合、上記入力要求画像を表示する前に、上記記憶装置に記憶された上記定型文データに基づいて、上記定型文を示す画像を上記表示装置に表示する処理と、
上記表示装置に上記定型文を示す画像が表示されているときに、上記入力要求画像の表示を要求する旨の指示が上記入力装置により入力された場合、上記入力要求画像を上記表示装置に表示する処理と
を実行させることを特徴とする。
【００１３】
（３）の発明によれば、入力要求画像が表示される前に、まず定型文を示す画像が表示されるため、例えば定型文を擬似的なメール本文とすることにより、他人が勝手に端末装置を操作したときに入力要求画像が表示されて懐疑心を抱くことを防止することができる。
従って、より電子メールの送受信のセキュリティ性を高めることができる。
【発明の効果】
【００１４】
本発明の電子メール表示プログラムによれば、煩わしい手順を経ることなくセキュリティ性の高い電子メールの送受信を行うことが可能となる。
【発明を実施するための最良の形態】
【００１５】
図１は、本発明の携帯電話機の一例を模式的に示す斜視図である。
携帯電話機１は、基地局にキャリアの入出力を行うアンテナ２と、相手先からの音声が出力されるスピーカ３と、各種機能の設定や着信時に相手先の電話番号や氏名等を表示するためのディスプレイ４と、着信音量や通話音量を調節したりメモリダイヤルの内容をディスプレイ４上に所要の状態で表示させたり、各種機能の設定を選択するための十字方向操作キー５と、電話番号や文字等を入力する際に使用されるダイヤルキーを含む操作キー群６と、通話中に自局の音声を伝えるためのマイクロフォン７とを備えている。
【００１６】
携帯電話機１の外装は、所要の内装部品（電子部品を含む）を収容するためのケース１１と、ケース１１に収容された内装部品を覆うカバー１２とに分割されており、ケース１１内に内装部品を収容した状態で、ケース１１及びカバー１２の両者を嵌め合わせることにより構成されている。
【００１７】
図２は、図１に示した携帯電話機の内部構成を示すブロック図である。
携帯電話機１は、アンテナ２と、スピーカ３と、ディスプレイ４と、操作部（十字方向操作キー及び操作キー群）５、６と、マイクロフォン７と、無線部１０と、音声回路１２と、不揮発性メモリ２０と、マイクロコンピュータ２２と、二次電池２４とを備えている。
不揮発性メモリ２０は、本発明における記憶装置に相当する。ディスプレイ４は、本発明における表示装置に相当する。操作部５、６は、本発明における入力装置に相当する。マイクロコンピュータ２２は、本発明におけるコンピュータに相当する。
【００１８】
無線部１０は、マイクロコンピュータ２２により制御されて、アンテナ２を通じて電波を基地局から送受信する。音声回路１２は、無線部１０からマイクロコンピュータ２２を通じて出力された受信信号をスピーカ３に出力するとともに、マイクロフォン７から出力された音声信号を送信信号としてマイクロコンピュータ２２を通じて無線部１０に出力する。
【００１９】
スピーカ３は、音声回路１２から出力された受信信号を受信音声に変換して出力する。マイクロコンピュータ７は、ユーザから発せられた送信音声を音声信号に変換して音声回路１２に出力する。
不揮発性メモリ２０は、本発明に係る電子メール表示プログラムと、アドレス帳データ（図３参照）、電子メールデータ（図４参照）及び定型文テーブル（図５参照）とを記憶する。さらに、携帯電話機１としての各種の機能を実現するためのプログラムや、ディスプレイ４に表示される各種の画像を示す画像データや、各種の音をスピーカ３から出力するための音データ等を記憶する。これらの画像データや音データ等には、上記電子メール表示プログラムによって読み出されて用いられる画像データや音データが含まれる。
【００２０】
上記電子メール表示プログラムと、該電子メール表示プログラムによって読み出されて用いられる画像データ及び音データとは、一つのアプリケーションとして、予め不揮発性メモリ２０に記憶されていてもよく（プリインストールされていてもよく）、インターネットを介してダウンロードされることとしてもよい。
【００２１】
図３は、アドレス帳データの一例を示す図である。
アドレス帳データでは、識別Ｎｏ．と名前と電話番号とが対応付けられて記憶されている。また、識別Ｎｏ．には、１又は複数の登録メールアドレスが対応付けられて記憶され、各登録メールアドレスには、パスワードと定型文の設定とが対応付けられて記憶されている。パスワードは、本発明における認証情報に相当する。
【００２２】
識別Ｎｏ．「００１」には、名前「田中部長」と電話番号とが対応付けられている。また、登録メールアドレスとして、会社のメールアドレスが対応付けられている。このメールアドレスには、パスワードと定型文とは設定されていない。なお、本実施形態において、田中部長は、携帯電話機１を所有するユーザの上司である。
【００２３】
識別Ｎｏ．「００２」には、名前「妻」と電話番号とが対応付けられている。また、登録メールアドレスとして、妻が所有している携帯電話機のメールアドレスが対応付けられている。このメールアドレスには、パスワードが設定されているが、定型文は設定されていない。なお、本実施形態において、妻は、携帯電話機１を所有するユーザの妻である。
【００２４】
識別Ｎｏ．「００３」には、名前「花子」と電話番号とが対応付けられている。また、登録メールアドレスとして、会社のメールアドレスと花子が所有している携帯電話機のメールアドレスとが対応付けられている。会社のメールアドレスには、パスワード及び定型文が設定されていないが、花子が所有している携帯電話機のメールアドレスには、パスワード及び定型文が設定されていない。なお、本実施形態において、花子は、携帯電話機１を所有するユーザの秘書であり、ユーザと親密な関係にある。
【００２５】
図４は、電子メールデータの一例を示す図である。
電子メールデータとしては、送信メールデータや受信メールデータ等が存在するが、図４では、受信メールデータを示している。
受信メールデータは、送信元メールアドレスと、受信日時データと、本文データを含んでいる。また、本文データは、少なくとも件名と本文とからなる。電子メールデータは、その他に、例えば、メールソフトの種類やバージョンを示すデータ、ＯＳの種類やバージョンを示すデータ等が含まれるが、ここでは示していない。
【００２６】
最上段の受信メールは、２００６年２月１７日１１時４５分３０秒に、田中部長が使用する会社のパーソナルコンピュータから受信したメールである。件名は「プロジェクト会議」であり、本文は「本日、１３時から第１会議室で・・・」という内容である。
田中部長の登録メールアドレスにはパスワードが設定されていないので（図３参照）、ユーザや他人は、パスワードを入力することなく、このメールを読むことができる。勿論、このメールは私的なメールではないので、他人に読まれてもユーザが困ることはない。
【００２７】
第二段の受信メールは、２００６年２月１７日１１時４５分３０秒に、秘書の花子が所有する携帯電話機から受信したメールである。件名は「今日の夜」であり、本文は「１９時から会えませんか？・・・」という内容である。
このメールは私的なメールであり、他人に読まれるとユーザが困るメールである。
花子が所有する携帯電話機の登録メールアドレスにはパスワードと定型文とが設定されているので（図３参照）、操作者によって、操作部５、６が操作されて、本文の表示を要求する旨の指示が入力されると、上記本文に代えて、後述する定型文（図５参照）がディスプレイ４に表示される。従って、他人に、メールの内容が定型文の内容であると思わせることができ、疑われることを防止することができる。上記定型文が表示されているときに、操作部５、６が操作されることにより所定の指示が入力され、パスワードが入力されると、実際の本文がディスプレイ４に表示される。従って、他人は、パスワードを入手しない限り、このメールを読むことはできない。
【００２８】
第三段の受信メールは、２００６年２月１７日１０時４０分３０秒に、妻が所有する携帯電話機から受信したメールである。件名は「今日の晩御飯」であり、本文は「今日の晩御飯は・・・」という内容である。
このメールは私的なメールであり、他人に読まれて困ることはないが、読まれたくはないメールである。
妻が所有する携帯電話機の登録メールアドレスにはパスワードのみが設定されているので（図３参照）、操作者によって、操作５、６が操作され、本文の表示を要求する旨の指示が入力されると、パスワードの入力を要求する入力要求画像がディスプレイ４に表示される。入力要求画像が表示されているときに、操作部５、６が操作されることにより所定の指示が入力され、パスワードが入力されると、上記本文がディスプレイ４に表示される。従って、他人は、パスワードを入手しない限り、このメールを読むことはできない。
【００２９】
第四段の受信メールは、２００６年２月１７日９時５分３０秒に、秘書の花子が使用する会社のパーソナルコンピュータから受信したメールである。件名は「今日のスケジュール」であり、本文は「１３時からプロジェクト会議が・・・」という内容である。
花子が使用する会社のパーソナルコンピュータの登録メールアドレスにはパスワードが設定されていないので（図３参照）、ユーザや他人は、パスワードを入力することなく、このメールを読むことができる。勿論、このメールは私的なメールではないので、他人に読まれてユーザが困ることはない。
【００３０】
図５は、定型文データの一例を示す図である。
図５に示す定型文テーブルＡには、複数の定型文データが格納されている。
なお、定型文テーブルＡは、アドレス帳テーブル（図３参照）の定型文欄に「Ａ」が設定されている登録メールアドレスに対して用いられる。各定型文データのうち、どの時間帯にどの定型文を表示するかについては、ユーザによって操作部５、６が操作されることにより入力される指示によって設定される。
【００３１】
次に、携帯電話機１において行われる処理について、図６〜図１１を用いて説明する。
以下の処理を行うとき、マイクロコンピュータ２２は、不揮発性メモリ２０に記憶された電子メール表示プログラムを読み出して実行する。
【００３２】
図６は、パスワード設定処理のサブルーチンを示すフローチャートである。
このサブルーチンは、登録メールアドレスに対してパスワードの設定を要求する旨の指示が操作部５、６を介して入力されたとき、又は、メールアドレスの登録とパスワードの設定とを要求する旨の指示が操作部５、６を介して入力されたとき、実行されるサブルーチンである。
図７（ａ）〜（ｂ）は、図６に示したパスワード設定処理のサブルーチンが実行されるときに表示される画像の一例を示す図である。
【００３３】
まず、マイクロコンピュータ２２は、ディスプレイ４に設定要求画像を表示する（ステップＳ１０）。
図７（ａ）に示す画像は、設定要求画像の一例である。
ディスプレイ４には、花子の名前と、花子が所有する携帯電話機の登録メールアドレスとが表示され、さらに、設定要求画像として、「パスワードを入力して下さい」という指示を示す画像と、４桁の数字が入力され得るパスワード入力欄と、「決定」及び「取消」という選択肢を示す画像とが表示されている。このとき、ユーザは、操作部５、６を操作し、任意のパスワードを入力することができる。
ステップＳ１０における処理は、登録メールアドレスに個別に対応したパスワード（認証情報）の設定を要求する設定要求画像（図７（ａ）参照）をディスプレイ４（表示装置）に表示する処理に相当する。
【００３４】
次に、マイクロコンピュータ２２は、パスワードが入力されたか否かを判断する（ステップＳ１１）。
具体的に、図７（ａ）に示す設定要求画像が表示されているときに、パスワードが入力され、その後に「決定」が選択された場合、マイクロコンピュータ２２は、パスワードが入力されたと判断する。一方、図７（ａ）に示す設定要求画像が表示されているときに、「取消」が選択された場合、マイクロコンピュータ２２は、パスワードが入力されていないと判断する。パスワードが入力されていないと判断した場合、本サブルーチンを終了する。
【００３５】
ステップＳ１１において、パスワードが入力されたと判断した場合、入力されたパスワードを、登録メールアドレスに対応付けて不揮発性メモリ２０に記憶する（ステップＳ１２）。例えば、図７（ａ）に示す設定要求画像が表示されているときに、パスワード「１２３４」が入力された場合、マイクロコンピュータ２２は、花子が所有する携帯電話機の登録メールアドレスに、パスワード「１２３４」を対応付けて記憶する（図３参照）。
【００３６】
ステップＳ１２における処理は、設定要求画像（図７（ａ）参照）をディスプレイ４（表示装置）に表示しているときに、操作部５、６（入力装置）により入力されたパスワード（認証情報）を、登録メールアドレスと対応付けて不揮発性メモリ２０（記憶装置）に記憶する処理に相当する。
【００３７】
次に、マイクロコンピュータ２２は、ディスプレイ４に定型文設定画像を表示する（ステップＳ１３）。
図７（ｂ）に示す画像は、定型文設定画像の一例である。
ディスプレイ４には、花子の名前と、花子が所有する携帯電話機の登録メールアドレスとが表示され、さちに、定型文設定画像として、「定型文を設定しますか？」という指示を示す画像と、「はい」及び「いいえ」という選択肢を示す画像とが表示されている。このとき、ユーザによって操作部５、６が操作されて「はい」が選択されると、ディスプレイ４には定型文作成画像（図示せず）が表示される。このとき、ユーザは、操作部５、６を操作し、定型文を入力したり定型文の表示パターン（各定型文を表示する時間帯や、表示する順序等）の設定を行ったりすることができる。
【００３８】
次に、マイクロコンピュータ２２は、定型文の設定がされたか否かを判断する（ステップＳ１４）。
具体的に、図７（ｂ）に示す定型文設定画像が表示されているときに「はい」が選択され、その後に定型文の設定に必要な情報の入力が行われた場合、マイクロコンピュータ２２は、定型文の設定がされたと判断する。一方、例えば、図７（ｂ）に示す定型文設定画像が表示されているときに「いいえ」が選択されたというように、定型文の設定に必要な情報の入力が行われなかった場合、マイクロコンピュータ２２は、定型文の設定が行われなかったと判断する。定型文の設定が行われなかったと判断した場合、本サブルーチンを終了する。
【００３９】
ステップＳ１４において、定型文の設定が行われたと判断した場合、マイクロコンピュータ２２は、定型文の設定内容を、登録メールアドレスに対応付けて不揮発性メモリ２０に記憶する（ステップＳ１５）。なお、定型文の作成が行われた場合には、図５に示すように、定型文テーブルとして不揮発性メモリ２０に記憶する。その後、本サブルーチンを終了する。
【００４０】
図８は、電子メール表示処理のサブルーチンを示すフローチャートである。
図９（ａ）〜（ｃ）は、図８に示した電子メール表示処理のサブルーチンを示すフローチャートである。
図１０（ａ）〜（ｃ）は、図８に示した電子メール表示処理のサブルーチンを示すフローチャートである。
図１１（ａ）〜（ｃ）は、図８に示した電子メール表示処理のサブルーチンを示すフローチャートである。
【００４１】
まず、マイクロコンピュータ２２は、不揮発性メモリ２０に記憶されたアドレス帳データ（図３参照）と電子メールデータ（図４参照）とに基づいて、ディスプレイ４にリスト（図９（ａ）参照）を表示する（ステップＳ３０）。図９（ａ）に示す画像は、リストを示す画像である。この画像には、４件の受信メールについての送信者の名前と受信日時とが表示されている。このとき、ユーザは操作部５、６を操作して、いずれか１のメールを選択することにより、当該メール（以下、被選択メール）の本文の表示を要求する旨の指示を入力することができる。
【００４２】
次に、マイクロコンピュータ２２は、本文の表示を要求する旨の指示が入力されたか否かを判断する（ステップＳ３１）。この指示には、上述したように、被選択メールを示すデータが含まれる。
【００４３】
本文の表示を要求する旨の指示が入力されたと判断した場合、マイクロコンピュータ２２は、被選択メールのデータに含まれる送信元メールアドレス（図４参照）が、パスワードが対応付けられた登録メールアドレスのいずれか１と合致するか否かを判断する（ステップＳ３２）。
【００４４】
ステップＳ３２における処理は、受信メールの送信元メールアドレスが、パスワード（認証情報）と対応付けられて不揮発性メモリ２０（記憶装置）に記憶された登録メールアドレスのいずれか１に合致するか否かを判断する判断処理に相当する。
【００４５】
ステップＳ３２において両者が合致しないと判断した場合、マイクロコンピュータ２２は、電子メールデータ（図４参照）に含まれる本文データに基づいて、受信メールの本文を示す画像を表示する（ステップＳ３９）。その後、本サブルーチンを終了する。
【００４６】
例えば、リスト（図９（ａ）参照）が表示されているとき（ステップＳ３０）、ユーザによって操作部５、６が操作され、田中部長からのメールの本文を表示する旨の指示が入力された場合（ステップＳ３１：ＹＥＳ）、マイクロコンピュータ２２は、田中部長の登録メールアドレスにパスワードが設定されていないので（ステップＳ３２：ＮＯ）、そのメールの本文をディスプレイ４に表示する（図９（ｂ）参照）。
【００４７】
ステップＳ３２において、被選択メールのデータに含まれる送信元メールアドレス（図４参照）が、パスワードが対応付けられた登録メールアドレスのいずれか１と合致しないと判断した場合、マイクロコンピュータ２２は、定型文表示条件を満たすか否かを判断する（ステップＳ３３）。定型文表示条件を満たすか否かは、アドレス帳データに含まれる定型文の設定によって判断される。
【００４８】
ステップＳ３３において定型文表示条件を満たすと判断した場合、マイクロコンピュータ２２は、定型文データ（図５参照）に基づいて、定型文を示す画像をディスプレイ４（表示装置）に表示する（ステップＳ３４）。
【００４９】
ステップＳ３４における処理は、ステップＳ３２（判断処理）において両者が合致すると判断した場合（ステップＳ３２：ＹＥＳ）、後述する入力要求画像（図１０（ｂ）参照）を表示する前に、不揮発性メモリ２０（記憶装置）に記憶された定型文データ（図５参照）に基づいて、定型文を示す画像をディスプレイ４（表示装置）に表示する処理に相当する。
【００５０】
例えば、リスト（図９（ａ）参照）が表示されているとき（ステップＳ３０）、ユーザによって操作部５、６が操作され、秘書の花子が携帯電話機により送ったメールの本文を表示する旨の指示が入力された場合（ステップＳ３３１：ＹＥＳ）、マイクロコンピュータ２２は、花子の携帯電話機の登録メールアドレスにはパスワードが設定され（ステップＳ３２：ＹＥＳ）、さらに定型文の設定もされているから（ステップＳ３３：ＹＥＳ）、定型文をディスプレイ４に表示する処理を行う（図９（ｃ）参照）。
【００５１】
このとき、ユーザは、操作部５、６を操作して、ディスプレイ４に表示された「メニュー」を選択すると、次に、ディスプレイ４には、図１０（ａ）に示す画像が表示される。
この画像では、６つの選択肢と「決定」ボタンとが表示されている。図１０（ａ）に示す画像が表示されているとき、ユーザは、操作部５、６を操作して「パスワード入力」を選択することにより、入力要求画像の表示を要求する旨の指示を入力することができる。
【００５２】
ステップＳ３４の処理が行われ、定型文を示す画像がディスプレイ４（表示装置）に表示されているとき、マイクロコンピュータ２２は、ユーザによって操作部５、６が操作され、入力要求画像の表示を要求する旨の指示が入力されたか否かを判断する（ステップＳ３５）。入力要求画像の表示を要求する旨の指示が入力されていないと判断した場合、本サブルーチンを終了する。
【００５３】
一方、入力要求画像の表示を要求する旨の指示が入力されたと判断した場合、マイクロコンピュータ２２は、ディスプレイ４に入力要求画像を表示する（ステップＳ３６）。
図１０（ｂ）に示す画像は、入力要求画像の一例である。
ディスプレイ４には、入力要求画像として、「パスワードを入力して下さい」という指示を示す画像と、４桁の数字が入力され得るパスワード入力欄と、「決定」及び「取消」という選択肢を示す画像とが表示されている。このとき、ユーザは、操作部５、６を操作し、花子の携帯電話機の登録メールアドレスに設定されたパスワードを入力することができる。
【００５４】
ステップＳ３６における処理は、ディスプレイ４（表示装置）に定型文を示す画像（図９（ｃ）参照）が表示されているときに（ステップＳ３４）、入力要求画像の表示を要求する旨の指示が操作部５、６により入力された場合（ステップＳ３５：ＹＥＳ、図１０（ａ）参照）、入力要求画像（図１０（ｂ）参照）をディスプレイ４（表示装置）に表示する処理に相当する。
【００５５】
次に、マイクロコンピュータ２２は、パスワードが入力されたか否かを判断する（ステップＳ３７）。
具体的に、図１０（ｂ）に示す入力要求画像が表示されているときに、パスワードが入力され、その後に「決定」が選択された場合、マイクロコンピュータ２２は、パスワードが入力されたと判断する。一方、図１０（ｂ）に示す入力要求画像が表示されているときに、「取消」が選択された場合、マイクロコンピュータ２２は、パスワードが入力されていないと判断する。パスワードが入力されていないと判断した場合、本サブルーチンを終了する。
【００５６】
ステップＳ３７においてパスワードが入力されたと判断した場合、マイクロコンピュータ２２は、入力されたパスワードが、登録メールアドレスに対応付けられたパスワード（図３参照）と合致するか否かを判断する（ステップＳ３８）。
【００５７】
ステップＳ３８における処理は、入力要求画像（図１０（ｂ）参照）をディスプレイ４に表示しているときに操作部５、６（入力装置）により入力されたパスワード（認証情報）が、登録メールアドレスと対応付けられて不揮発性メモリ２０（記憶装置）に記憶されたパスワードと合致するか否かを判断する表示前認証処理に相当する。
【００５８】
ステップＳ３８において、入力されたパスワードが、登録メールアドレスに対応付けられたパスワードと合致しないと判断した場合、本サブルーチンを終了する。一方、ステップＳ３８において、入力されたパスワードが、登録メールアドレスに対応付けられたパスワードと合致すると判断した場合、マイクロコンピュータ２２は、不揮発性メモリ２０に記憶された受信メールの本文データ（図４参照）に基づいて、受信メールの本文をディスプレイ４に表示する（ステップＳ３９）。
【００５９】
例えば、図１０（ｂ）に示す入力要求画像が表示されているときに、パスワード「１２３４」が入力された場合、マイクロコンピュータ２２は、ディスプレイ４に、図１０（ｃ）に示す画像を表示する。
【００６０】
このように、携帯電話機１によれば、送信元メールアドレスが、パスワードと定型文とが設定された登録メールアドレスである場合、ユーザは、定型文が表示されているときに、入力要求画像を表示する旨の指示を入力し、さらに入力要求画像が表示されているときに、パスワードを入力することにより、ディスプレイ４に表示される本文を見ることが可能となる。
また、送信元メールアドレスが、パスワードが設定された登録メールアドレスである場合、ユーザは、入力要求画像が表示されているときに、パスワードを入力することにより、ディスプレイ４に表示される本文を見ることが可能となる。
一方、送信元メールアドレスが、パスワードが設定されていない登録メールアドレスである場合、ユーザは、パスワードの入力を行うことなく、ディスプレイ４に表示される本文を見ることが可能となる。
【００６１】
ステップＳ３１において、本文を表示する旨の指示が入力されていないと判断した場合、マイクロコンピュータ２２は、返信を行う旨の指示が入力されたか否かを判断する（ステップＳ４０）。
【００６２】
例えば、図１１（ａ）に示す画像（リスト）が表示されているときに、ユーザによって操作部５、６が操作され、秘書の花子が携帯電話機により送ったメールが選択され、その後に「メニュー」が選択された場合、ディスプレイ４には、図１１（ｂ）に示す画像が表示される。この画像では、４つの選択肢と「決定」ボタンとが表示されている。図１１（ｂ）に示す画像が表示されているとき、ユーザは、操作部５、６を操作して「返信」を選択することにより、選択されたメール（被選択メール）に対する返信メールを行う旨の指示を入力することができる。
【００６３】
ステップＳ４０において返信メールを行う旨の指示が入力されていないと判断した場合、本サブルーチンを終了する。一方、ステップＳ４０において返信メールを行う旨の指示が入力されたと判断した場合、マイクロコンピュータ２２は、受信メールの送信元メールアドレス（返信メールの送信先メールアドレス）と、パスワードが対応付けられた登録メールアドレス（図３参照）とが合致するか否かを判断する（ステップＳ４１）。
【００６４】
ステップＳ４１における処理は、受信メールの送信元メールアドレスが、パスワード（認証情報）と対応付けられて不揮発性メモリ２０（記憶装置）に記憶された登録メールアドレスのいずれか１と合致するか否かを判断する判断処理に相当する。
【００６５】
ステップＳ４１において両者が合致しないと判断した場合、マイクロコンピュータ２２は、メール作成画面をディスプレイ４に表示する（ステップＳ４５）。そして、ユーザによって操作部５、６が操作されることにより、メールを送信する旨の指示が入力された場合には（ステップＳ４６：ＹＥＳ）、マイクロコンピュータ２２は、返信メールを送信する処理を行う（ステップＳ４７）。その後、本サブルーチンを終了する。
【００６６】
一方、ステップＳ４１において、受信メールの送信元メールアドレスが、パスワードと対応付けられた登録メールアドレスのいずれか１と合致すると判断した場合、マイクロコンピュータ２２は、ディスプレイ４に入力要求画像を表示する（ステップＳ４２）。
【００６７】
図１１（ｃ）は、入力要求画像の一例を示す図である。
ディスプレイ４には、入力要求画像として、「パスワードを入力して下さい」という指示を示す画像と、４桁の数字が入力され得るパスワード入力欄と、「決定」及び「取消」という選択肢を示す画像とが表示されている。このとき、ユーザは、操作部５、６を操作し、花子の携帯電話機の登録メールアドレスに設定されたパスワードを入力することができる。
【００６８】
ステップＳ４２における処理は、パスワード（認証情報）と対応付けられて不揮発性メモリ２０（記憶装置）に記憶された登録メールアドレス（図３参照）のいずれか１と同一の送信元メールアドレスからの受信メール（図４参照）に対する返信メールを実行する旨の指示が操作部５、６（入力装置）により入力された場合（ステップＳ４０：ＹＥＳ、ステップＳ４１：ＹＥＳ）、登録メールアドレスに対応したパスワード（認証情報）の入力を要求する入力要求画像を表示する処理に相当する。
【００６９】
次に、マイクロコンピュータ２２は、パスワードが入力されたか否かを判断する（ステップＳ４３）。
具体的に、図１１（ｃ）に示す入力要求画像が表示されているときに、パスワードが入力され、その後に「決定」が選択された場合、マイクロコンピュータ２２は、パスワードが入力されたと判断する。一方、図１１（ｃ）に示す入力要求画像が表示されているときに、「取消」が選択された場合、マイクロコンピュータ２２は、パスワードが入力されていないと判断する。パスワードが入力されていないと判断した場合、本サブルーチンを終了する。
【００７０】
ステップＳ４３においてパスワードが入力されたと判断した場合、マイクロコンピュータ２２は、入力されたパスワードが、登録メールアドレスに対応付けられたパスワード（図３参照）と合致するか否かを判断する（ステップＳ４４）。
【００７１】
ステップＳ４４における処理は、入力要求画像（図１１（ｂ）参照）をディスプレイ４に表示しているときに操作部５、６（入力装置）により入力されたパスワード（認証情報）が、登録メールアドレスと対応付けられて不揮発性メモリ２０（記憶装置）に記憶されたパスワードと合致するか否かを判断する返信前認証処理に相当する。
【００７２】
ステップＳ４４において、入力されたパスワードが、登録メールアドレスに対応付けられたパスワードと合致しないと判断した場合、本サブルーチンを終了する。一方、ステップＳ４４において、入力されたパスワードが、登録メールアドレスに対応付けられたパスワードと合致すると判断した場合、マイクロコンピュータ２２は、メール作成画面をディスプレイ４に表示する（ステップＳ４５）。そして、ユーザによって操作部５、６が操作されることにより、メールを送信する旨の指示が入力された場合には（ステップＳ４６：ＹＥＳ）、マイクロコンピュータ２２は、返信メールを送信する処理を行う（ステップＳ４７）。その後、本サブルーチンを終了する。
【００７３】
ステップＳ４７における処理は、ステップＳ４４の処理（返信前認証処理）において、入力されたパスワードと、登録メールアドレスに対応付けられたパスワードと合致すると判断した場合（ステップＳ４４：ＹＥＳ）、返信メールを送信する処理に相当する。
【００７４】
以上、本発明の電子メール表示プログラムによれば、ユーザは、操作部５、６を操作してパスワードを入力することにより、登録メールアドレスごとにパスワードを設定することができる。また、受信側のユーザは、登録メールアドレスごとにパスワードを設定することができるので、送信者側からパスワードを受け取る必要がない。また、パスワードが設定されていない登録メールアドレスに対する受信メールに関しては、第三者であっても見ることが可能であり、電子メールを受信する度に態々パスワードを入力するというような面倒な作業は不要となる。従って、煩わしい手順を経ることなくセキュリティ性の高い電子メールの送受信を行うことが可能であり、特定の人との交流を親密にすることも可能となる。
【００７５】
本実施形態においては、端末装置が携帯電話機である場合について説明したが、本発明において、端末装置は、特に限定されるものではなく、例えば、ＰＤＡ、パーソナルコンピュータ、ゲーム装置を挙げることができる。また、記憶装置、入力装置及び表示装置についても、特に限定されるものではなく、従来公知のものを採用可能である。
【００７６】
本実施形態においては、認証情報がパスワードである場合について説明したが、本発明において、認証情報は、特に限定されるものではなく、パスワード以外に、例えば、指紋情報、声紋情報等の生体認証情報を挙げることができる。また、認証情報は、登録メールアドレスに個別に設定可能であれば、各登録メールアドレスに設定される認証情報は同一であってもよい。
【図面の簡単な説明】
【００７７】
【図１】本発明の携帯電話機の一例を模式的に示す斜視図である。
【図２】図１に示した携帯電話機の内部構成を示すブロック図である。
【図３】アドレス帳データの一例を示す図である。
【図４】電子メールデータの一例を示す図である。
【図５】定型文データの一例を示す図である。
【図６】パスワード設定処理のサブルーチンを示すフローチャートである。
【図７】（ａ）〜（ｂ）は、図６に示したパスワード設定処理のサブルーチンが実行されるときに表示される画像の一例を示す図である。
【図８】電子メール表示処理のサブルーチンを示すフローチャートである。
【図９】（ａ）〜（ｃ）は、図８に示した電子メール表示処理のサブルーチンを示すフローチャートである。
【図１０】（ａ）〜（ｃ）は、図８に示した電子メール表示処理のサブルーチンを示すフローチャートである。
【図１１】（ａ）〜（ｃ）は、図８に示した電子メール表示処理のサブルーチンを示すフローチャートである。
【符号の説明】
【００７８】
１  携帯電話機
２  アンテナ
３  スピーカ
４  ディスプレイ
５  十字方向操作キー（操作部）
６  操作キー群（操作部）
７  マイクロフォン
１０  無線部
１１  ケース
１２  カバー
２０  メモリ
２２  マイクロコンピュータ
２４  二次電池
【図１】
2007233869.tif 000003
【図２】
2007233869.tif 000004
【図３】
2007233869.tif 000005
【図４】
2007233869.tif 000006
【図５】
2007233869.tif 000007
【図６】
2007233869.tif 000008
【図７】
2007233869.tif 000009
【図８】
2007233869.tif 000010
【図９】
2007233869.tif 000011
【図１０】
2007233869.tif 000012
【図１１】
2007233869.tif 000013